(57)【要約】      （修正有）【課題】セット可能な表示物の適用範囲を広げ、店舗内での表示物のディスプレイの自由度を高める標示物ホルダを提供する。【解決手段】この表示物ホルダ１は、ケース本体２と板ばね３とマグネット４から構成され、ケース本体２のテーパ状の開口部２３にテーパ部４１を有するマグネット４を嵌め込んでケース本体２の底面に露出させ、板ばね３の底辺部３１でマグネット４を上から押さえ付けて抜け止めしてある。使用時には、表示物をケース本体２の上面の挿入口２５から挿入し、板ばね３の差込口３４に差し込んでばね部３２の力で両面から挟み付けて保持し、ケース本体２の底面に露出したマグネット４を金属製の陳列棚などに磁気吸着させて設置する。【選択図】図６
0003160237.tif 000002
【実用新案登録請求の範囲】
【請求項１】
シート状の表示物を保持してディスプレイするための表示物ホルダであって、
ケース本体と板ばねとマグネットから構成され、
ケース本体は、上面から両側面にかけて開口した表示物を挿入する挿入口と、上面から底面に向かって開口幅が狭くなるテーパ状の開口部と、内部に板ばねを収容する空間部とが設けられており、
板ばねは、水平な底辺部と、底辺部から上方に延びる側面Ｍ字形のばね部と、ばね部の先端に互いに密着する一対の挟持部とからなり、ケース本体の空間部に収容されており、
マグネットは、上面から底面に向かってその幅が狭くなるテーパ状に形成され、ケース本体の開口部に嵌め込まれてケース本体の底面に露出し、板ばねの底辺部により上から押さえ付けられて抜け止めされている
ことを特徴とする表示物ホルダ。
【請求項２】
ケース本体の挿入口は、上端から下端に向かって狭くなるように傾斜が付けられ、かつ、その両縁部の中央にスリットが形成されている
ことを特徴とする請求項１に記載の表示物ホルダ。
【請求項３】
ケース本体を支持しマグネットに磁気吸着される金属鋼板からなり、裏面に接着手段を有するプレートを更に備えた
ことを特徴とする請求項１又は２に記載の表示物ホルダ。
【請求項４】
ケース本体を支持しマグネットに磁気吸着される金属鋼板の両側を折り返してストッパ部を設け、その片側を底面から突出させてサポート部を形成してなるサポートフレームを更に備えた
ことを特徴とする請求項１又は２に記載の表示物ホルダ。
【請求項５】
ケース本体を支持する合成樹脂からなり、表示物ホルダのケース本体に嵌合する凹部を有し、この凹部に金属鋼板を接着してなるスタンドを更に備えた
ことを特徴とする請求項１又は２に記載の表示物ホルダ。
【考案の詳細な説明】
【技術分野】
【０００１】
本考案は、例えばデパートやスーパーマーケットあるいはコンビニエンスストア等の店舗の商品売場において、商品の案内パネルやプライスカード等のシート状の表示物を保持してディスプレイするために用いられる表示物ホルダに関する。
【背景技術】
【０００２】
従来、上記のような商品に関する情報を表示するディスプレイ用品として、いわゆるＰＯＰスタンドやバインダーＰＯＰなどと呼ばれる保持具が広く使用されている。この種の保持具の一例として、例えば下記の特許文献１には、陳列棚やテーブルに置いて使用する置き式ポップスタンドに関する発明が開示されている。
【０００３】
この置き式ポップスタンドは、基台と、基台の上に装着される一対の板バネ部と、板バネ部を覆うようにして基台に嵌め込み固定されるカバー部材とから構成されている。そしてその使用方法は、商品のＰＯＰ表示板を板バネ部で挟み付けて保持し、基台とカバー部材の底面をテーブルのような平らなものの上に置いて自立させた状態でディスプレイするというものである。
【先行技術文献】
【特許文献】
【０００４】
【特許文献１】特開２０００−６６５９４号公報
【考案の概要】
【考案が解決しようとする課題】
【０００５】
ところが、上述した従来の置き式ポップスタンドによると、一対の板バネ部が隙間を空けて対向配置された構造になっているため、この隙間よりも薄い物を挟んで保持することができず、セット可能な表示物の素材や厚さが制約されるという問題があった。また、基台とカバー部材を自立させた状態で使用するものであるため、設置場所が平らなところに限られてしまい、店舗内における表示物のディスプレイの自由度が低いという問題もあった。
【０００６】
本考案はこのような問題を解決するためになされたものであり、その目的とするところは、素材や厚さの制約を受けずセット可能な表示物の適用範囲を広げると共に、店舗内での表示物のディスプレイの自由度を高めた表示物ホルダを提供することにある。
【課題を解決するための手段】
【０００７】
上記の目的を達成するため、本考案は、シート状の表示物を保持してディスプレイするための表示物ホルダであって、ケース本体と板ばねとマグネットから構成され、ケース本体は、上面から両側面にかけて開口した表示物を挿入する挿入口と、上面から底面に向かって開口幅が狭くなるテーパ状の開口部と、内部に板ばねを収容する空間部とが設けられており、板ばねは、水平な底辺部と、底辺部から上方に延びる側面Ｍ字形のばね部と、ばね部の先端に互いに密着する一対の挟持部とからなり、ケース本体の空間部に収容されており、マグネットは、上面から底面に向かってその幅が狭くなるテーパ状に形成され、ケース本体の開口部に嵌め込まれてケース本体の底面に露出し、板ばねの底辺部により上から押さえ付けられて抜け止めされていることを特徴とする。
【０００８】
この表示物ホルダを使用する際には、表示物をケース本体上面の挿入口から挿入し、板ばねの差込口に差し込むと、表示物の厚みによってばね部が押し広げられ、対向する挟持部がばね部の力で表示物を両面から挟み付けるようにして保持する。そして、表示物を保持した後、ケース本体の底面に露出したマグネットを金属部分に磁気吸着させて設置することにより、表示物を安定した姿勢でディスプレイすることができる。
【０００９】
また、上記の構成からなる表示物ホルダにおいて、ケース本体の挿入口は、上端から下端に向かって狭くなるように傾斜が付けられ、かつ、その両縁部の中央にスリットが形成されていると良い。このような構造によると、薄い表示物の場合には端部がスリットの内側で支えられる一方、厚い表示物の場合には端部が挿入口の両縁部に当接して支えられるので、いずれの場合にも表示物をバランス良く垂直に起立させた状態で保持することができる。
【００１０】
また、上記の構成からなる表示物ホルダと組み合わせて、次のようなオプションパーツを使用しても良い。例えば、ケース本体を支持しマグネットに磁気吸着される金属鋼板からなり、裏面に接着手段を有するプレートを使用することにより、プレートの表面に表示物ホルダを置いてマグネットで磁気吸着させ、プレートの裏面の接着手段によって対象物に貼り付けることができる。また、ケース本体を支持しマグネットに磁気吸着される金属鋼板の両側を折り返してストッパ部を設け、その片側を底面から突出させてサポート部を形成してなるサポートフレームを使用することにより、フレーム表面に表示物ホルダを置いてマグネットで磁気吸着させ、サポート部を陳列棚等の外周フレームに沿って取り付けることもできる。更に、ケース本体を支持する合成樹脂からなり、表示物ホルダのケース本体に嵌合する凹部を有し、この凹部に金属鋼板を接着してなるスタンドを使用することにより、凹部に表示物ホルダを嵌めてマグネットで磁気吸着させ、このスタンドをテーブル等の平らな上にセットすることもできる。
【考案の効果】
【００１１】
本考案の表示物ホルダによれば、商品の案内パネルやプライスカードといった表示物について、例えばパウチシートのような薄い物からスチロール板のような厚い物まで幅広く対応することが可能になる。このため、表示物の素材や厚さを選択する幅が広がるという効果が得られる。
【００１２】
本考案の表示物ホルダによれば、棚やテーブル等の平らな場所に置くだけでなく、磁気吸着による安定した設置が可能になる。また、金属製の柱に設置して表示物を横向きにしたり、金属製の梁に設置して表示物を上から吊り下げたりすることもできる。更に、オプションパーツを組み合わせて使用すれば、木材やガラス等の非金属製の箇所にも取り付けることもできる。したがって、様々な設置の形態を採用することが可能になり、表示物のディスプレイの自由度が高まるという効果が得られる。
【図面の簡単な説明】
【００１３】
【図１】本考案に係る表示物ホルダの外観を示す斜視図である。
【図２】図１の表示物ホルダの正面図である。
【図３】図１の表示物ホルダの平面図である。
【図４】ベースの開口部にマグネットを嵌め込む時の状態を示す図で、（ａ）は全体を示す斜視図、（ｂ）はその断面図である。
【図５】ベースの係止部を示す拡大図で、（ａ）は突起型の係止部を、（ｂ）は舌片型の係止部を示す。
【図６】図２に示すＡ−Ａ線断面図である。
【図７】図３に示すＢ−Ｂ線断面図である。
【図８】板ばねの構造を示す図で、（ａ）は斜視図、（ｂ）は側面図である。
【図９】表示物ホルダで表示物を保持した状態を示す説明図で、（ａ）は薄い物（例．パウチシート）を保持した状態、（ｂ）は厚い物（例．スチロール板）を保持した状態を示す。
【図１０】表示物ホルダを対象物に設置した状態を示す説明図で、（ａ）は陳列棚の棚板に設置した例、（ｂ）はフレームに設置した例を示す。
【図１１】オプションパーツの一例としてプレートを示す図で、（ａ）は構造を示す外観図、（ｂ）は使用例を示す説明図である。
【図１２】オプションパーツの一例としてサポートフレームを示す図で、（ａ）は構造を示す外観図、（ｂ）は側面図、（ｃ）は使用例を示す説明図である。
【図１３】オプションパーツの一例としてスタンドを示す図で、（ａ）は構造を示す外観図、（ｂ）は側面図、（ｃ）は使用例を示す説明図である。
【考案を実施するための形態】
【００１４】
以下、本考案の実施形態について、願書に添付した図面を参照しながら説明する。
【００１５】
本考案の表示物ホルダは、例えばデパート、スーパーマーケット、コンビニエンスストア等の店舗の商品売場において、商品の案内パネルやプライスカードなどのシート状の表示物を保持するために用いられるバインダー式のディスプレイ用具である。
【００１６】
図１にその全体構造を示すように、表示物ホルダ１は、ケース本体２と板ばね３とマグネット４を備えて大略構成されており、ケース本体２の上面から挿入した表示物を板ばね３で挟んで保持するものである。また、ケース本体２の底面のマグネット４を店舗内にある金属製の対象物に磁気吸着させて設置することにより、保持した表示物を様々な姿勢でディスプレイできるようになっている。以下、各部品の詳細な構造について説明する。
【００１７】
図２と図３に示すように、ケース本体２は、合成樹脂製のベース２１とカバー２２を一体化して構成されている。本実施形態において、ベース２１を透明ＡＢＳ樹脂で成形し、カバー２２を透明スチロール樹脂で成形してある。これにより、ケース本体２の全体が透明になり、シンプルな外観を呈することによって店舗内のイメージを損なわないように配慮されている。
【００１８】
図４に拡大して示すように、ベース２１は直方体状の形態を有しており、マグネット４を嵌め込むための開口部２３が長手方向に並んで２箇所設けられている。この開口部２３は、同図（ｂ）のように側面から見ると、上面から底面に向かって次第に幅が狭くなるテーパ状に形成され、上面と底面をそれぞれ開口してある。
【００１９】
また、ベース２１の両側面にはそれぞれカバー２２を装着するための係止部２４が設けられている。この係止部２４は、図５（ａ）のように一方側が変形しない突起型に形成され、図５（ｂ）のように他方側が弾性変形する舌片型に形成されている。
【００２０】
図６に示すように、カバー２２はベース２１を覆うように蓋状の形態を有しており、上面から両側面にかけて表示物を挿入するための挿入口２５が設けられている。この挿入口２５は、側面から見たとき、上端の開口幅が６．５ｍｍ、下端の開口幅が５．５ｍｍであって、上部から下部に向かって次第に開口幅が狭くなるように傾斜が付けられている。また、挿入口２５の両縁部には、その中央に幅１．０ｍｍ、深さ１．５ｍｍのスリット２６が形成されており、１．０ｍｍ未満の薄い表示物を挟むときの支持部として機能する。
【００２１】
図７に示すように、カバー２２の両側面の内側には、ベース２１を装着するためのフック部２７が形成されている。そして、ベース２１にカバー２２を装着する際には、ベース２１の上にカバー２２をかぶせ、一方側のフック部２７に対して突起型の係止部２４ａを引っ掛けた状態でベース２１を押し込む。すると舌片型の係止部２４ｂが他方側のフック部２７に押されて縮み変形し、更に押し込むと復元した舌片型の係止部２４ｂの先端がフック部２７に引っ掛かって抜け止めされる。これにより、ベース２１とカバー２２が装着されてケース本体２を構成する。なお、カバー２２の正面及び背面の内壁には、一段深く掘り下げた段部２８が形成されており、ケース本体２の内部に板ばね３を収容する空間部２９が形成される。
【００２２】
図８に拡大して示すように、板ばね３は、１枚の金属板を折り曲げ加工してなるものである。本実施形態では、繰り返される抜き差し作業にも耐え得るように、板ばね３の材料としてステンレスばね材（板厚０．２５ｍｍ）を使用している。また、その形状は、短冊状のばね材の両側を立ち上げて、これを内側に向けて鋭角に折り曲げた後、更に先端を鈍角に折り曲げて、先端同士が隙間なく互いに密着するように成形してある。したがって、板ばね３の全体形状は、図８（ｂ）のように側面から見ると、水平な底辺部３１と、底辺部３１から延びる略Ｍ字形のばね部３２と、ばね部３２の先端に設けられた一対の挟持部３３，３３とからなり、その上方に表示物を差し込むための差込口３４が形成される。
【００２３】
マグネット４は、この表示物ホルダ１を磁気吸着させるためのもので、本実施形態ではネオジウム磁石を使用している。マグネット４の形状は、正面から見ると傾斜が付いていないが、図４（ｂ）のように側面から見ると、上面から底面に向かって幅が狭くなるように、両側に開口部２３と同じ傾斜角度のテーパ部４１を形成してある。また、本実施形態では耐摩耗性を向上させるため、マグネット４の角部にはバレル研磨によるＲ加工部４２が設けられており、表面処理としてクロムめっき加工が施されている。なお、マグネット４は２個設けられているが、その磁力は３ｋｇ/１個である。
【００２４】
マグネット４はケース本体２に装着されるが、ケース本体２に対して接着や圧入により固定する構造を採用していない。その理由は、接着によると接着剤の硬化や劣化で接合不良や剥がれが生じ、圧入によると合成樹脂製のケース本体２が傷付いたり割れたりする恐れがあるからである。そこで本実施形態では、図４のようにテーパ部４１を有するマグネット４をベース２１の上からテーパ状の開口部２３に嵌め込むことにより、マグネット４をケース本体２内での自由度を保ちながら固定する方法を採用している。
【００２５】
そして、マグネット４をベース２１に固定した後、その上に板ばね３を載せ、最後に上記の手順でベース２１にカバー２２を装着すると、表示物ホルダ１が完成する。これにより、図６のようにケース本体２内の空間部２９に板ばね３が収まり、板ばね３の頭部が段部２８に当接して固定される。また、開口部２３に嵌められたマグネット４は、その底面だけがベース２１の底面に露出し、板ばね３の底辺部３１によって上から押さえ付けられて抜け止めされる。なお、本実施形態ではマグネット４を２個並べて設けたが、その個数を１個にしてケース本体２の幅を狭くしても良く、３個以上並べてケース本体２の幅を広くしても良い。
【００２６】
表示物ホルダ１は以上のとおりに構成されており、以下その使用方法を説明する。
【００２７】
この表示物ホルダ１を使用する際には、まず展示したい表示物をケース本体上面の挿入口２５から挿入する。このとき、挿入された表示物は板ばね３の差込口３４へと差し込まれ、表示物の厚みによってばね部３２が押し広げられる。更に奥まで深く差し込むと、対向する挟持部３３，３３がばね部３２の力によって表示物を両面から挟み付けるようにして保持する。
【００２８】
ここで、保持する表示物の厚さは、約０．５〜５．０ｍｍ程度まで幅広い対応が可能である。例えば図９（ａ）に示すように、表示物１０が厚さ０．５ｍｍのパウチシートで作製したプライスカードの場合、表示物１０を挿入する際にその端部をケース本体２の両側にあるスリット２６，２６に差し込むようにする。これにより、表示物１０が薄い場合であっても、表示物１０の端部がスリット２６によって支えられて傾くことがなく、バランス良く垂直に起立させた状態で保持することができる。
【００２９】
これに対して、図９（ｂ）に示すように、表示物１０が厚さ５．０ｍｍのスチロール板で作製した案内パネルの場合、表示物１０を挿入したとき、挿入口２５が奥に行くに従って狭くなっているため、表示物１０の端部が挿入口２５の両縁部（幅５．５ｍｍ）に当接して支えられ、同じく垂直に起立させた状態で保持することができる。したがって、この表示物ホルダ１によれば、様々な厚さの表示物１０を挟んで保持することができる。このため、表示物１０の素材や厚さを選択する幅が広がるという効果がある。
【００３０】
次いで、上記のようにして表示物１０を保持した後、展示したい場所に表示物ホルダ１を設置する。その方法は、ケース本体２の底面に露出したマグネット４を店舗内にある金属部分に磁気吸着させることにより行う。例えば、図１０（ａ）に示すように金属製の陳列棚８１に設置する場合には、金属製の棚板８２の上に置くだけで、磁気吸着によって簡単に動いたり倒れたりすることがなく、安定した姿勢での設置が可能になる。
【００３１】
また、棚板８２のような平らな場所に上に立てるだけでなく、様々な姿勢でディスプレイすることも可能である。例えば、図１０（ｂ）に示すように金属製のフレーム８３に直接マグネット４を磁気吸着させれば、表示物１０を横向きに設置することができる。また、図示しないが、例えば金属製の柱や梁にマグネット４を磁気吸着させることにより、表示物１０を上から吊り下げた状態で設置することもできる。以上がこの表示物ホルダ１の基本的な使用方法であるが、設置する際にこの表示物ホルダ１と組み合わせて、以下に説明するオプションパーツを使用しても良い。
【００３２】
図１１に示すオプションパーツは、プレート５である。このプレート５は、表示物ホルダ１の底面とほぼ同サイズの金属鋼板、例えばステンレス鋼板（板厚０．２５ｍｍ）により構成されており、表面にヘアライン加工による艶消し５１が施され、裏面に接着手段として両面テープ５２が設けられている。また、その使用方法は、同図（ｂ）のようにプレート５の裏面の剥離紙を剥がして両面テープ５２でフレーム８４などに貼り付け、プレート５の表面に表示物ホルダ１を置き、マグネット４で磁気吸着させてケース本体２を支持するというものである。このプレート５を使用すれば、木材やガラスなどの非金属製の箇所にも表示物ホルダ１を取り付けることができる。
【００３３】
図１２に示すオプションパーツは、サポートフレーム６である。このサポートフレーム６は、ステンレス鋼板（板厚０．２５ｍｍ）の表面にヘアライン加工による艶消し６１が施され、プレス加工によって鋼板の両側を折り返してストッパ部６２を設け、その片側をフレーム底面から突出させてサポート部６３を形成してある。また、その使用方法は、金属製のフレーム８５に取り付ける際のサポートとして使用するというものである。表示物ホルダ１に設けられたマグネット４は、対象物に対する垂直方向への吸着力は強いが、水平方向への動きに弱く回転しやすいという特性がある。そこで、同図（ｃ）のようにサポート部６３をフレーム８５に沿って取り付け、その上に表示物ホルダ１を置き、マグネット４で磁気吸着させてケース本体２を支持する。これにより、ケース本体２の水平方向への動きがストッパ部６２で規制されるので、表示物ホルダ１がズレ動くことなく、安定した姿勢で設置することができる。
【００３４】
図１３に示すオプションパーツは、スタンド７である。このスタンド７は、例えば透明スチロール樹脂等の合成樹脂をインジェクション成形することにより、ケース本体２に嵌合する凹部７１を備えた平台状に成形した後、この凹部７１に図１１のプレート５を両面テープ５２で貼り付けた構造になっている。また、その使用方法は、同図（ｃ）のようにスタンド７をガラス製の棚板８６などの平らな上に置いてセットし、凹部７１に表示物ホルダ１を嵌めてマグネット４でプレート５に磁気吸着させて支持するというものである。このスタンド７を使用することにより、テーブル等の上に設置する際に、両面テープ５２による接着ができない場合でも、置くだけでセットすることが可能になる。なお、本実施形態ではスタンド７の本体を透明スチロール樹脂で成形したが、店舗内のイメージに合わせてスチロール樹脂に着色を施しても良い。
【００３５】
以上説明したように、これらのオプションパーツと表示物ホルダ１を組み合わせて使用すれば、金属製の対象物だけでなく、木材やガラスなどの非金属製の対象物にも取り付けることが可能になる。したがって、様々な設置の形態を採用することができ、表示物１０のディスプレイの自由度が高まるという効果がある。
【符号の説明】
【００３６】
１…表示物ホルダ
２…ケース本体
２１…ベース
２２…カバー
２３…開口部
２４…係止部
２５…挿入口
２６…スリット
２７…フック部
２８…段部
２９…空間部
３…板ばね
３１…底辺部
３２…ばね部
３３…挟持部
３４…差込口
４…マグネット
４１…テーパ部
４２…Ｒ加工部
５…プレート
５１…艶消し
５２…両面テープ
６…サポートフレーム
６１…艶消し
６２…ストッパ部
６３…サポート部
７…スタンド
７１…凹部
【図１】
0003160237.tif 000003
【図２】
0003160237.tif 000004
【図３】
0003160237.tif 000005
【図４】
0003160237.tif 000006
【図５】
0003160237.tif 000007
【図６】
0003160237.tif 000008
【図７】
0003160237.tif 000009
【図８】
0003160237.tif 000010
【図９】
0003160237.tif 000011
【図１０】
0003160237.tif 000012
【図１１】
0003160237.tif 000013
【図１２】
0003160237.tif 000014
【図１３】
0003160237.tif 000015